(57)【要約】      （修正有）【課題】少ないスペースで、シート状部材を容易かつ確実に折り畳んでいくことのできるシート状部材折り畳み装置及びシート状部材折り畳み方法を提供する。【解決手段】シート状部材折り畳み装置１０を、原反１４から送られるフィルム１２に、一方の側辺１６からフィルム１２の長手方向に対して垂直方向に延びる第一の山折れ線Ａ、及び、他方の側辺１６から長手方向に対して斜め方向に延びて第一の山折れ線Ａに連続する第二の山折れ線Ｂを付与する第一のプレート２０と、フィルム１２の第二の山折れ線Ｂで山折りにした部分に、フィルム１２の長手方向に対して斜め方向に延びる折返し線Ｃを付与する第二のプレート２６と、フィルム１２の折り返した部分を折り返さない他の部分に当接させるためのローラー３０とを備えて構成した。【選択図】図１
2007210686.tif 000002
【特許請求の範囲】
【請求項１】
帯状のシート状部材の一方の側辺及び他方の側辺が平行になるように重ね合わせて該シート状部材を折り畳むシート状部材折り畳み装置であり、
前記シート状部材に、一方の側辺から該シート状部材の長手方向に対して垂直方向に延びる第一の山折れ線、及び、他方の側辺から該長手方向に対して斜め方向に延びる第二の山折れ線を、付与する山折り手段と、
前記シート状部材の前記第二の山折れ線で山折りにした部分に、該シート状部材の長手方向に対して斜め方向に延びる折返し線を付与する折り返し手段と、
前記シート状部材の折り返した部分を折り返さない他の部分に当接させる重ね合わせ手段と、を備え、
前記山折り手段が付与する前記第二の山折れ線の前記第一の山折れ線に対する傾斜角度θ１と、前記折り返し手段が付与する前記折返し線の前記第一の山折れ線に対する傾斜角度θ２との間で、θ１＋θ２＝９０°なる関係を有するように、該山折り手段及び該折り返し手段を形成したシート状部材折り畳み装置。
【請求項２】
前記山折り手段が、外周辺により前記第一の山折れ線及び前記第二の山折れ線を生じさせるプレートである請求項１に記載するシート状部材折り畳み装置。
【請求項３】
前記折返し手段が、外周辺により前記折返し線を生じさせるプレートである請求項１又は請求項２のいずれかに記載するシート状部材折り畳み装置。
【請求項４】
帯状のシート状部材の一方の側辺及び他方の側辺が平行になるように重ね合わせて該シート状部材を折り畳むシート状部材折り畳み方法であり、
前記シート状部材に、一方の側辺から該シート状部材の長手方向に対して垂直方向に延びる第一の山折れ線、及び、他方の側辺から該長手方向に対して斜め方向に延びて該第一の山折れ線に連続する第二の山折れ線を、付与する山折りステップと、
前記シート状部材の前記第二の山折れ線で山折りにした部分に、該シート状部材の長手方向に対して斜め方向に延びる折返し線を付与する折り返しステップと、
前記シート状部材の折り返した部分を折り返さない他の部分に当接させるステップと、を含み、
前記第二の山折れ線の前記第一の山折れ線に対する傾斜角度θ１と、前記折返し線の前記第一の山折れ線に対する傾斜角度θ２との間で、θ１＋θ２＝９０°なる関係を有するように、該第一の山折れ線、該第二の山折れ線、及び該折返し線を付与するシート状部材折り畳み方法。
【請求項５】
帯状のシート状部材の一方の側辺及び他方の側辺が平行になるように重ね合わせて該シート状部材を折り畳むシート状部材折り畳み装置であり、前記シート状部材に、一方の側辺から該シート状部材の長手方向に対して垂直方向に延びる第一の山折れ線、及び、他方の側辺から該長手方向に対して斜め方向に延びる第二の山折れ線を、付与する山折り手段と、前記シート状部材の前記第二の山折れ線で山折りにした部分に、該シート状部材の長手方向に対して斜め方向に延びる折返し線を付与する折り返し手段と、前記シート状部材の折り返した部分を折り返さない他の部分に当接させる重ね合わせ手段と、を備えたシート状部材折り畳み装置の製造方法であり、
前記山折り手段が付与する前記第二の山折れ線の前記第一の山折れ線に対する傾斜角度θ１と、前記折り返し手段が付与する前記折返し線の前記第一の山折れ線に対する傾斜角度θ２との間で、θ１＋θ２＝９０°なる関係を有するように、該山折り手段及び該折り返し手段を形成するシート状部材折り畳み装置の製造方法。
【発明の詳細な説明】
【技術分野】
【０００１】
本発明は、シート状部材がロール状に巻かれた原反から送られる帯状のシート状部材を折り畳んでいくシート状部材折り畳み装置、シート状部材折り畳み方法、及びシート状部材折り畳み装置の製造方法に関する。
【０００２】
従来から、後工程における作業の容易化等のために、種々のシート状部材折り畳み装置が案出されている（例えば、特許文献１参照。）。これらシート状部材折り畳みの中で、図６のシート状部材折り畳み装置１は、シート状部材２がロール状に巻かれた原反３から送られる帯状のシート状部材２の一方の側辺４及び他方の側辺５が平行になるように重ね合わせてシート状部材２を折り畳んでいく装置である。このシート状部材折り畳み装置１は、後工程で図７の袋６を製造するための装置である。この袋６の糊代端部７は側辺４から構成され、開口端部８は側辺５から形成される。
【０００３】
しかし、このシート状部材折り畳み装置１は、原反３からＹ軸方向にシート状部材２を送り出した後、三角板９を介して方向変換し、Ｘ軸方向に後工程へ送る装置であるため、装置を配置するために広いスペースが必要となっていた。
【０００４】
【特許文献１】特開２００４−１０２８３号公報
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、少ないスペースで、原反から送られるシート状部材の一方の側辺及び他方の側辺が平行になるように重ね合わせてシート状部材を容易かつ確実に折り畳んでいくことのできるシート状部材折り畳み装置及びシート状部材折り畳み方法を提供し、そのシート状部材折り畳み装置に適している製造方法を提供することを目的とする。
【課題を解決するための手段】
【０００７】
本発明のシート状部材折り畳み装置は、帯状のシート状部材の一方の側辺及び他方の側辺が平行になるように重ね合わせて該シート状部材を折り畳むシート状部材折り畳み装置であり、前記シート状部材に、一方の側辺から該シート状部材の長手方向に対して垂直方向に延びる第一の山折れ線、及び、他方の側辺から該長手方向に対して斜め方向に延びる第二の山折れ線を、付与する山折り手段と、前記シート状部材の前記第二の山折れ線で山折りにした部分に、該シート状部材の長手方向に対して斜め方向に延びる折返し線を付与する折り返し手段と、前記シート状部材の折り返した部分を折り返さない他の部分に当接させる重ね合わせ手段と、を備え、前記山折り手段が付与する前記第二の山折れ線の前記第一の山折れ線に対する傾斜角度θ１と、前記折り返し手段が付与する前記折返し線の前記第一の山折れ線に対する傾斜角度θ２との間で、θ１＋θ２＝９０°なる関係を有するように、該山折り手段及び該折り返し手段を形成したことを特徴とする。すなわち、本発明は、θ１＋θ２＝９０°なる関係を有するように構成するという新たな思想に基き、各手段を用いて具現化した発明である。
【０００８】
また、本発明のシート状部材折り畳み装置は、前記シート状部材折り畳み装置において、前記山折り手段が、外周辺により前記第一の山折れ線及び前記第二の山折れ線を生じさせるプレートであることを特徴とする。
【０００９】
また、本発明のシート状部材折り畳み装置は、前記シート状部材折り畳み装置において、前記折返し手段が、外周辺により前記折返し線を生じさせるプレートであることを特徴とする。
【００１０】
本発明のシート状部材折り畳み方法は、帯状のシート状部材の一方の側辺及び他方の側辺が平行になるように重ね合わせて該シート状部材を折り畳むシート状部材折り畳み方法であり、前記シート状部材に、一方の側辺から該シート状部材の長手方向に対して垂直方向に延びる第一の山折れ線、及び、他方の側辺から該長手方向に対して斜め方向に延びて該第一の山折れ線に連続する第二の山折れ線を、付与する山折りステップと、前記シート状部材の前記第二の山折れ線で山折りにした部分に、該シート状部材の長手方向に対して斜め方向に延びる折返し線を付与する折り返しステップと、前記シート状部材の折り返した部分を折り返さない他の部分に当接させるステップと、を含み、前記第二の山折れ線の前記第一の山折れ線に対する傾斜角度θ１と、前記折返し線の前記第一の山折れ線に対する傾斜角度θ２との間で、θ１＋θ２＝９０°なる関係を有するように、該第一の山折れ線、該第二の山折れ線、及び該折返し線を付与することを特徴とする。
【００１１】
本発明のシート状部材折り畳み装置の製造方法は、帯状のシート状部材の一方の側辺及び他方の側辺が平行になるように重ね合わせて該シート状部材を折り畳むシート状部材折り畳み装置であり、前記シート状部材に、一方の側辺から該シート状部材の長手方向に対して垂直方向に延びる第一の山折れ線、及び、他方の側辺から該長手方向に対して斜め方向に延びる第二の山折れ線を、付与する山折り手段と、前記シート状部材の前記第二の山折れ線で山折りにした部分に、該シート状部材の長手方向に対して斜め方向に延びる折返し線を付与する折り返し手段と、前記シート状部材の折り返した部分を折り返さない他の部分に当接させる重ね合わせ手段と、を備えたシート状部材折り畳み装置の製造方法であり、前記山折り手段が付与する前記第二の山折れ線の前記第一の山折れ線に対する傾斜角度θ１と、前記折り返し手段が付与する前記折返し線の前記第一の山折れ線に対する傾斜角度θ２との間で、θ１＋θ２＝９０°なる関係を有するように、該山折り手段及び該折り返し手段を形成することを特徴とする。
【発明の効果】
【００１２】
本発明のシート状部材折り畳み装置及びシート状部材折り畳み方法によれば、第二の山折れ線の第一の山折れ線に対する傾斜角度θ１と、折返し線の第一の山折れ線に対する傾斜角度θ２との間で、θ１＋θ２＝９０°なる関係を有するように、第一の山折れ線、第二の山折れ線、及び折返し線を付与することにより、原反から送られるシート状部材に、一方の側辺からシート状部材の長手方向に対して垂直方向に延びる第一の山折れ線、他方の側辺から長手方向に対して斜め方向に延びて第一の山折れ線に連続する第二の山折れ線、及び、シート状部材の長手方向に対して斜め方向に延びる折返し線を付与することにより、折り畳んだシート状部材を後工程へ送る方法に対して垂直方向に、原反からシート状部材を送る必要がなくなった。このため、原反からシート状部材を送るための広いスペースを必要としなくなった。しかも、原反から送られるシート状部材の一方の側辺及び他方の側辺が平行になるように重ね合わせて容易かつ確実に折り畳んでいくことができる。本発明において新たに見出したθ１＋θ２＝９０°なる関係を有するとういう思想により、このような効果が生じる。
【００１３】
また、山折り手段及び折返し手段がプレートである本発明のシート状部材折り畳み装置によれば、少ないスペースで、原反から送られるシート状部材の一方の側辺及び他方の側辺が平行になるように重ね合わせてシート状部材を容易かつ確実に折り畳んでいくことができるという効果を、よりコンパクトな構成によって実現することが可能となる。
【発明を実施するための最良の形態】
【００１４】
次に、本発明に係るシート状部材折り畳み装置、シート状部材折り畳み方法及びシート状部材折り畳み装置の製造方法の実施形態について、図面に基づいて詳しく説明する。図１において、符号１０は本発明のシート状部材折り畳み装置である。
【００１５】
シート状部材折り畳み装置１０は、フィルム（シート状部材）１２がロール状に巻かれた原反１４から送られる帯状のフィルム１２の一方の側辺１６及び他方の側辺１８が平行になるように重ね合わせてフィルム１２を二つ折りに折り畳んでいくシート状部材折り畳み装置である。
【００１６】
このシート状部材折り畳み装置１０は、原反１４から送られるフィルム１２に、一方の側辺１６からフィルム１２の長手方向に対して垂直方向に延びる第一の山折れ線Ａ、及び、他方の側辺１６から長手方向に対して斜め方向に延びて第一の山折れ線Ａに連続する第二の山折れ線Ｂを付与する第一のプレート（山折り手段）２０を備えている。第一のプレート２０は台形に構成されており、底辺２２を当接することによりフィルム１２を折り曲げて第一の山折れ線Ａを生じさせ、斜辺２４を当接することによりフィルム１２を折り曲げて第二の山折れ線Ｂを生じさせる。このシート状部材折り畳み装置１０の場合には、斜辺２４の底辺２２に対する傾斜角度は、図２に示すように、４５°に構成されている。これにより、第一の山折れ線Ａの第二の山折れ線Ｂに対する傾斜角度θ１は４５°となる。
【００１７】
また、シート状部材折り畳み装置１０は、フィルム１２の第二の山折れ線Ｂで山折りにした部分に、フィルム１２の長手方向に対して斜め方向に延びる折返し線Ｃを付与する第二のプレート（折り返し手段）２６を備えている。第二のプレート２６は、第一のプレート２０に対して略平行に第一のプレート２０よりもＸ軸方向正側に隣接され、フィルム１２を当接することにより折り曲げて折返し線Ｃを生じさせる斜辺２８を備えている。このシート状部材折り畳み装置１０の場合には、斜辺２８の第一のプレート２０の底辺２２に対する傾斜角度は、図２に示すように、４５°に構成されている。これにより、折返し線Ｃの第一の山折れ線Ａに対する傾斜角度θ２は４５°となる。すなわち、上記のθ１とθ２との間には、θ１＋θ２＝９０°なる関係がある。これにより、折り畳み線Ｊの延びる方向はＹ軸方向成分を有さず、折り畳み線ＪはＸーＺ平面内でのみ延びる。これにより、側辺１６、側辺１８及び折り畳み線ＪをＸ軸と平行としながらフィルム１２を後工程へ送っていくことが可能となる。すなわち、θ１＋θ２＝９０°なる関係を有することが本発明の特徴点である。詳細な原理は図５に基いて後述する。
【００１８】
また、フィルム１２の折り返した部分を折り返さない他の部分に当接させるためのローラー（重ね合わせ手段）３０を備えている。ローラー３０は、第一のプレート２０及び第二のプレート２６に対して平行に配置されている。なお、ローラー３０は、第二のプレート２６から送られたフィルム１２を空中に保持する機能をも有する。
【００１９】
このような構成のシート状部材折り畳み装置１０を使用して、後工程で図６に示す袋６を製造するために、原反１４から送られるフィルム１２を折り畳む場合の作用について以下に説明することにより、本発明のシート状部材折り畳み方法について説明する。
【００２０】
後工程で袋６を製造する場合、原反１４として巻かれるフィルム１２としては、通常、ＯＰＰフィルム（二軸延伸ポリプロピレンフィルム）又はＣＰＰフィルム（無延伸ポリプロピレンフィルム）が選択される。この原反１４から送られるフィルム１２は、図１及び図２に示すように、ローラー３２及び３４を介して第一のプレート２０へ送られる。なお、フィルム１２を送る駆動手段は、後工程において振るフィルム１２挟持するローラーをモーター等によって回転駆動させてフィルムを引っ張る手段等である。第一のプレート２０へ送られたフィルム１２は、図２に示すように、底辺２２及び斜辺２４に当接されて折り曲げられ、山折れ線Ａ及びＢが生じる。これにより、図２（ａ）におけるフィルム１２の右側の半分弱が山折れ線Ｂで斜め方向に折られる。なお、図２（ｂ）においては、フィルム１２の折曲がり状態を明確にするために、Ｚ軸正方向へいくに従ってＸ軸方向に拡張して描いている。
【００２１】
この斜め方法に折られた部分は、第二のプレート２６の斜辺２８により斜め方向に折り返されて折返し線Ｃが生じる。なお、山折れ線Ａ、Ｂ、及び折返し線Ｃは交点Ｐで連続する。このように折り返された部分Ｈは、ローラー３０へ送られ、折り返されずに底辺２２から直接送られた部分Ｉに重ね合わされる。このようにして、側辺１６及び側辺１８が平行になるように重ね合わされる。
【００２２】
このようにして重ね合わされるフィルム１２の折り曲がり状態を図３に示す。なお、図３（ｂ）においては、フィルム１２の折曲がり状態を明確にするために、Ｚ軸正方向へいくに従ってＸ軸方向に拡張して描いている。図３に示すように、側辺１６及び側辺１８が平行になるように重ね合わされることにより折り畳み線Ｊが生じるが、側辺１６、側辺１８及び折り畳み線ＪがＸ軸と平行になりながらフィルム１２は後工程へ送られる。なお、θ１＋θ２＝９０°なる関係があることによって、側辺１６、側辺１８及び折り畳み線ＪをＸ軸と平行としながらフィルム１２を後工程へ送っていくことが可能となる。
【００２３】
このようにして後工程へ送られたフィルム１２は、ヒートカッタ等によりＹ軸方向に溶断されて分割され、図７（ａ）に示す袋６が製造される。さらに、図７（ｂ）に示すように、内容物９が入れられて糊代端部７部分が折り返されて固着され閉封される。なお、袋６の糊代端部７はフィルム１２の側辺１６から構成され、開口端部８は側辺１８から形成されることとなる。但し、このような後工程における処理のための構成は、本発明自体の構成ではないので、詳細な説明は省略する。
【００２４】
このような本発明のシート状部材折り畳み装置１０及びシート状部材折り畳み方法によれば、原反３からＹ軸方向にシート状部材２を送る図５に示すシート状部材折り畳み装置１と異なり、原反１４からローラー３０までＹ軸方向にフィルム１２を送ることなく、Ｘ軸方向に送って折り畳んでいくことができる。このため、図５に示すシート状部材折り畳み装置１と異なり、余分なスペースが必要となることがない。しかも、第一のプレート２０、第二のプレート２６及びローラー３０によって容易且つ確実に折り畳んでいくことができる。
【００２５】
以上、本発明の一実施形態について説明したが、本発明は上述の実施形態には限定されない。例えば、本発明のシート状部材折り畳み装置１０において、図４に示すように、プレート２０の代替として丸形断面を有する棒状部材（山折り手段）５０を使用し、プレート２６の代替として丸形断面を有する棒状部材（折返し手段）５２を使用しても良い。棒状部材５０は、底辺構成部５４と、底辺構成部５４に対して４５°の傾斜角度をなす斜辺構成部５６とから構成されている。棒状部材５２は、棒状部材５０の底辺構成部５４に対して４５°の傾斜角度をなしている。このような棒状部材５０及び５２を使用しても、側辺１６及び側辺１８が平行になるように重ね合わせていくことができる。また、側辺１６、側辺１８及び折り畳み線ＪをＸ軸と平行としながらフィルム１２を後工程へ送っていくことができる。
【００２６】
また、本発明において、山折り手段が付与する第二の山折れ線の第一の山折れ線に対する傾斜角度θ１、及び、折り返し手段が付与する折返し線の第一の山折れ線に対する傾斜角度θ２は、４５°でなくとも、θ１＋θ２＝９０°なる関係があれば、側辺１６、側辺１８及び折り畳み線ＪをＸ軸と平行としながらフィルム１２を後工程へ送っていくことができる。よって、本発明のシート状部材折り畳み装置の製造方法は、θ１＋θ２＝９０°なる関係を有するように山折り手段及び折り返し手段を形成する方法である。例えば、シート状部材折り畳み装置１０において、第一のプレート２０の斜辺２４の底辺２２に対する傾斜角度、及び、第二のプレート２６の斜辺２８の底辺２２に対する傾斜角度は、図５に示すように４５°でなくとも、θ１＋θ２＝９０°なる関係があればよい。θ１＋θ２＝９０°であれば、第二の山折れ線Ｂと折返し線Ｃとの角度βは９０°となり、折り畳み線Ｊの折返し線Ｃに対する角度αは、幾何学的にθ１となる。よって、θ１＋α＝θ１＋θ２＝９０°となり、折り畳み線Ｊは第一の山折れ線あに対して９０°となるため、側辺１６、側辺１８及び折り畳み線ＪをＸ軸と平行としながらフィルム１２を後工程へ送っていくことができる。また、第一のプレート２０及び第二のプレート２６の形状又は角度を変化させることにより、θ１＋θ２＝９０°なる関係を維持しつつθ１及びθ２を調整できるように構成しても良い。例えば、第一のプレート２０を、底辺２２を構成する第一のプレート部材と、斜辺２４を構成する第二のプレート部材と、第一のプレート部材及び第二のプレートを連結する連結具とから構成し、連結具を緩めてθ１を調整できるようにすることによって可能となる。なお、連結具は螺子、長孔、リンク等によって構成される。また、第二のプレート２６の方向を調整できるように構成し、θ２を調整できるようにすることによって可能となる。
【００２７】
以上、本発明の実施形態について図面に基づいて説明したが、本発明は図示したものには限定されない。例えば、本発明の用途は、フィルムを折り畳むことに限定されず、布や紙等のシート状部材を折り畳むために本発明を使用してもよい。また、
【００２８】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２９】
本発明のシート状部材折り畳み装置、及びシート状部材折り畳み方法は、少ないスペースで、原反から送られるシート状部材の一方の側辺及び他方の側辺が平行になるように重ね合わせてシート状部材を容易かつ確実に折り畳んでいくことができる。このため、フィルム、布、紙等のシート状部材を折り畳むために広く利用できる。
【図面の簡単な説明】
【００３０】
【図１】本発明のシート状部材折り畳み装置を示す図であり、同図（ａ）は側面図であり、同図（ｂ）は斜視図である。
【図２】図１のシート状部材折り畳み装置の使用状態を説明するための図であり、同図（ａ）は正面図であり、同図（ｂ）は斜視図である。
【図３】図１のシート状部材折り畳み装置によって折り畳まれるシート状部材の折り曲がり状態を示す図であり、同図（ａ）は平面図であり、同図（ｂ）は側面図である。
【図４】本発明のシート状部材折り畳み装置の他の実施形態を示す斜視図である。
【図５】本発明のシート状部材折り畳み装置の更に他の実施形態を示す正面図である。
【図６】従来のシート状部材折り畳み装置を示す斜視図である。
【図７】シート状部材折り畳み装置によってシート状部材を折り畳んだ後の工程を説明するための図であり、同図（ａ）は製造した袋を示す斜視図であり、同図（ｂ）は袋に内容物を入れた状態を示す斜視図である。
【符号の説明】
【００３１】
１０：シート状部材折り畳み装置
１２：シート状部材
１４：原反
１６：一方の側辺
１８：他方の側辺
２０：プレート（山折り手段）
２２：底辺
２４：斜辺
２６：プレート（折り返し手段）
２８：斜辺
３０：ローラー（重ね合わせ手段）
３２，３４：ローラー
５０：棒状部材（山折り手段）
５２：棒状部材（折り返し手段）
Ａ：第一の山折り線
Ｂ：第二の山折り線
Ｃ：折返し線
Ｊ：折り畳み線
【図１】
2007210686.tif 000003
【図２】
2007210686.tif 000004
【図３】
2007210686.tif 000005
【図４】
2007210686.tif 000006
【図５】
2007210686.tif 000007
【図６】
2007210686.tif 000008
【図７】
2007210686.tif 000009